(57)【要約】      （修正有）【課題】ＭＭＥのＧＷ選択処理時において、ＳＩＰＴＯ＠ＬＮ（Selected IP Traffic Offload at Local Network）可能なＬＧＷを選択してＰＤＮコネクションを確立する方法を提供する。【解決手段】ホーム基地局装置が、アクセス制御装置の識別情報及びアクセス制御装置のローカルネットワーク経由のオフロードの可否の情報を取得し、位置管理装置が、アクセス制御装置の識別情報及び当該アクセス制御装置のオフロードの可否情報を含む情報をホーム基地局から受信し、ＰＤＮコネクションの確立を要求し、位置管理装置は、移動局装置の要求と、アクセス制御装置の識別情報と、当該アクセス制御装置のオフロードの可否情報と、前記ホーム基地局装置の情報とに基づいて、前記オフロード可能なアクセス制御装置を選択し、を前記アクセス制御装置と、前記移動局装置間のＰＤＮコネクションを確立する。【選択図】図１
2014011759.tif 000002
【特許請求の範囲】
【請求項１】
移動局装置が接続するホーム基地局装置及びアクセス制御装置が接続されるホームネットワークと、位置管理装置が接続されるコアネットワークとが外部ネットワークを介して接続されている移動通信システムにおいて、
前記ホーム基地局装置は、
前記アクセス制御装置の識別情報及び当該アクセス制御装置のローカルネットワーク経由のオフロードの可否の情報を取得し、
前記アクセス制御装置の識別情報及び当該アクセス制御装置のオフロードの可否の情報を管理し、
前記アクセス制御装置の識別情報及び当該アクセス制御装置のオフロードの可否の情報を前記位置管理装置に通知し、
前記位置管理装置は、      
前記アクセス制御装置の識別情報及び当該アクセス制御装置のオフロードの可否情報を含む情報を前記ホーム基地局装置から受信し、
前記アクセス制御装置の識別情報と、当該アクセス制御装置のオフロードの可否情報と、前記ホーム基地局装置の情報と、を関連付けて管理し、
前記移動局装置は、ローカルネットワーク経由のオフロードのためのＰＤＮコネクションの確立を要求し、
前記位置管理装置は、前記移動局装置の要求と、前記アクセス制御装置の識別情報と、当該アクセス制御装置のオフロードの可否情報と、前記ホーム基地局装置の情報とに基づいて、オフロード可能なアクセス制御装置を選択し、前記アクセス制御装置と前記移動局装置間のＰＤＮコネクションを確立することを特徴とする移動通信システム。
【請求項２】
移動局装置が接続するホーム基地局装置及びアクセス制御装置が接続されるホームネットワークと、位置管理装置が接続されるコアネットワークとが外部ネットワークを介して接続されている移動通信システムにおけるホーム基地局装置において、
前記位置管理装置は、アクセス制御装置を選択し、前記アクセス制御装置と前記移動局装置間のＰＤＮコネクションを確立する装置であって、
前記アクセス制御装置の識別情報及び当該アクセス制御装置のローカルネットワーク経由のオフロードの可否の情報を取得し、
前記アクセス制御装置の識別情報及び当該アクセス制御装置のオフロードの可否の情報を管理し、
前記アクセス制御装置の識別情報及び当該アクセス制御装置のオフロードの可否の情報を前記位置管理装置に通知することにより、前記位置管理装置がローカルネットワーク経由のオフロードのためのＰＤＮコネクションを確立する際のアクセス制御装置の選択に用いる情報を登録することを前記位置管理装置に要求することを特徴とするホーム基地局装置。
【請求項３】
移動局装置が接続するホーム基地局装置及びアクセス制御装置が接続されるホームネットワークと、位置管理装置が接続されるコアネットワークとが外部ネットワークを介して接続されている移動通信システムにおける位置管理装置であって、
前記位置管理装置は、
アクセス制御装置の識別情報及び当該アクセス制御装置のオフロードの可否情報を含む情報を前記ホーム基地局装置から受信し、
アクセス制御装置の識別情報と、当該アクセス制御装置のオフロードの可否情報と、前記ホーム基地局装置の情報と、を関連付けて管理し、
前記移動局装置は、ローカルネットワーク経由のオフロードのためのＰＤＮコネクションの確立を要求し、
前記位置管理装置は、前記移動局装置の要求と、前記アクセス制御装置の識別情報と、当該アクセス制御装置のオフロードの可否情報と、前記ホーム基地局装置の情報とに基づいて、オフロード可能なアクセス制御装置を選択し、前記アクセス制御装置と前記移動局装置間のＰＤＮコネクションを確立することを特徴とする位置管理装置。
【請求項４】
移動局装置が接続するホーム基地局装置及びアクセス制御装置が接続されるホームネットワークと、位置管理装置が接続されるコアネットワークとが外部ネットワークを介して接続されている移動通信システムにおける通信方法であって、
前記ホーム基地局装置は、
前記アクセス制御装置の識別情報及び当該アクセス制御装置のローカルネットワーク経由のオフロードの可否の情報を取得し、
前記アクセス制御装置の識別情報及び当該アクセス制御装置のオフロードの可否の情報を管理し、
前記アクセス制御装置の識別情報及び当該アクセス制御装置のオフロードの可否の情報を前記位置管理装置に通知し、
前記位置管理装置は、
前記アクセス制御装置の識別情報及び当該アクセス制御装置のオフロードの可否情報を含む情報を前記ホーム基地局装置から受信し、
前記アクセス制御装置の識別情報と、当該アクセス制御装置のオフロードの可否情報と、前記ホーム基地局装置の情報と、を関連付けて管理し、
前記移動局装置は、ローカルネットワーク経由のオフロードのためのＰＤＮコネクションの確立を要求し、
前記位置管理装置は、前記移動局装置の要求と、前記アクセス制御装置の識別情報と、当該アクセス制御装置のオフロードの可否情報と、前記ホーム基地局装置の情報とに基づいて、オフロード可能なアクセス制御装置を選択し、前記アクセス制御装置と前記移動局装置間のＰＤＮコネクションを確立することを特徴とする通信方法。
【請求項５】
請求項１に記載の移動通信システムに接続されることを特徴とする移動局装置。
【発明の詳細な説明】
【技術分野】
【０００１】
本発明は、移動局装置が接続するホーム基地局装置及びアクセス制御装置が接続されるホームネットワークと、位置管理装置が接続されるコアネットワークとが外部ネットワークを介して接続されている移動通信システム等に関する
【背景技術】
【０００２】
移動通信システムの標準化団体３ＧＰＰ（The 3rd Generation Partnership Project）では、次世代の移動体通信システムとして以下の非特許文献１に記載のＥＰＳ（Evolved Packet System）の仕様化作業を進めており、ＥＰＳの構成装置として、宅内等に設置する小型基地局であるＨｅＮＢ（Home eNodeB：ホーム基地局）について検討がなされている。
【０００３】
ＨｅＮＢは、フェムトセルと呼ばれる小規模の無線セルを構築し、通常の基地局と同じ無線アクセス技術を用いて、ＵＥ（User Equipment：移動端末装置）を収容する。そして、ブロードバンドネットワークを経由して移動通信システムのコアネットワークに接続し、収容しているＵＥの通信データを中継することができる。
【０００４】
また、以下の非特許文献２には、ＳＩＰＴＯ（Selected IP Traffic Offload）を実現するためのアーキテクチャの候補が開示されている。ＳＩＰＴＯとは、ＵＥが基地局（ｅＮＢ）に接続しつつ、移動通信システムのコアネットワークを介さずにブロードバンドネットワーク経由で、ｅＮＢに収容しているＵＥにデータ通信を提供する。
【０００５】
さらに、非特許文献２では、ＬＩＰＡを実現するためのアーキテクチャの候補が開示されている。ＬＩＰＡとは、ＵＥがホーム基地局（ＨｅＮＢ）に接続し、ＨｅＮＢが接続するホームネットワークへの接続をＵＥへ提供する。
【０００６】
また、以下の非特許文献３には、ＳＩＰＴＯの記載があり、ＵＥがＨｅＮＢに接続しつつ、移動通信システムのコアネットワークを介さずに、ブロードバンドネットワーク経由して、ＨｅＮＢに収容しているＵＥにデータ通信を提供する。ここで示されるＳＩＰＴＯでは、ホームネットワークにおけるアクセスを行うことはできない。つまり、ＨｅＮＢに収容されるＵＥに提供するＳＩＰＴＯは、前述のＬＩＰＡとは異なるデータ通信として提供される。
【０００７】
非特許文献３では、ＵＥがｅＮＢまたはＨｅＮＢから移動通信ネットワーク内のオフロードポイント（ＴＯＦ：Traffic Offload Function）及びブロードバンドネットワークを経由してデータ通信を行う方法をＳＩＰＴＯ＠ＲＮ（Radio Access Network：無線アクセスネットワーク）と記載し、ＨｅＮＢからＬＧＷを経由してブロードバンドネットワーク経由でデータ通信を行う方法をＳＩＰＴＯ＠ＬＮ（Local Network：ローカルネットワーク）と記載している。
【０００８】
ここで、ＳＩＰＴＯ＠ＲＮとＳＩＰＴＯ＠ＬＮは異なるサービスであり、ＳＩＰＴＯ＠ＲＮでは、コアネットワーク内に配置されるＴＯＦを利用したオフロードサービスであるのに対し、ＳＩＰＴＯ＠ＬＮでは、ＬＧＷを利用したオフロードサービスである。
【０００９】
また、非特許文献４には、ＳＩＰＴＯのＰＤＮコネクションを確立するための手続きが記載されている。ＰＤＮコネクションには、サービス毎にアクセス制御装置とＵＥとの間に確立される通信路である。ここでは、ＳＩＰＴＯ＠ＬＮにおいても、オフロードサービスに利用されるＰＤＮコネクションが確立される。
【００１０】
ＰＤＮコネクションを確立する際には、コアネットワーク内の位置管理装置（ＭＭＥ：Mobility Management Entity）が、ＰＤＮコネクションの端点となるアクセス制御装置を選択するというＧＷ選択を行う。
【００１１】
また、従来、ＬＧＷとＨｅＮＢは同一の装置内で構成され、ＬＧＷとＨｅＮＢは１対１に対応し、ＭＭＥはＨｅＮＢアドレスが検知できれば、ＬＧＷ＠ＣＮアドレスも同時に判断することができ、適切にＧＷ選択を行うことができた。
【先行技術文献】
【非特許文献】
【００１２】
【非特許文献１】3GPP TS23.401 General Packet Radio Service (GPRS) enhancements for Evolved Universal Terrestrial Radio Access Network (E-UTRAN) access
【非特許文献２】3GPP TR 23.829 Local IP Access and Selected IP Traffic Offload
【非特許文献３】3GPP TR 23.859 LIPA Mobility and SIPTO at the Local Network
【非特許文献４】“User interactions for SIPTO@LN acceptance”、  3GPP TSG  SA  WG2  ＃85、S2-112455
【発明の概要】
【発明が解決しようとする課題】
【００１３】
ここで、ホームネットワークの構成として、単一のＬＧＷに対して複数のＨｅＮＢが接続するアーキテクチャが検討されている。これにより、ＵＥはＬＧＷをアンカーとしてＨｅＮＢ間の移動を行うことができるようになる。
【００１４】
この場合、ＬＧＷとＨｅＮＢが異なる装置となるため、ＭＭＥは、ＨｅＮＢのアドレスを検知できたとしてもＬＧＷのアドレスを同時に検知することはできない。したがって、ＨｅＮＢとＬＧＷが同一の装置で構成された場合には、ＭＭＥはＨｅＮＢアドレスから容易にＬＧＷを検知することができたが、ＨｅＮＢとＬＧＷが分離した構成では、ＨｅＮＢアドレスからＬＧＷを検知する新たな手段が必要となる。
【００１５】
また、ＬＧＷ＠ＣＮアドレスＭＭＥは、ＨｅＮＢが接続するＬＧＷのＬＧＷ＠ＣＮアドレスを検知できたとしても、検知されたＬＧＷがＳＩＰＴＯ＠ＬＮを利用できるかどうかは判断することができなかった。
【００１６】
つまり、ＰＤＮコネクション確立手続き時に、ＭＭＥがＧＷ選択処理時にＬＧＷを選択するためには、複数のＨｅＮＢから単一のホームネットワークへ接続する新たなアーキテクチャにおいて、ＭＭＥにＬＧＷを検知させる手段が必要となる。
【００１７】
さらに、ＨｅＮＢが接続するＬＧＷを検知することができたとしても、ＰＤＮコネクション確立手続き時において、ＭＭＥにＳＩＰＴＯ可能なＬＧＷを検知させ、ＧＷ選択処理時にＳＩＰＴＯ＠ＬＮ可能なＬＧＷを選択させる手段が必要となる。
【００１８】
つまり、ＭＭＥは、ＰＤＮコネクション確立手続きにおけるＧＷ選択処理時において、ＳＩＰＴＯ＠ＬＮ可能なＬＧＷを選択することができないために、ＳＩＰＴＯ＠ＬＮを行うためのＰＤＮコネクション確立手続きを完了することができず、ＳＩＰＴＯ＠ＬＮにおけるＰＤＮコネクションを確立することができなかった。
【００１９】
また、ＳＩＰＴＯ＠ＬＮにおけるＰＤＮコネクション確立手続きを完了することができず、ＰＤＮコネクションを確立できないために、ＳＩＰＴＯ＠ＬＮによるデータの送受信を行うことができなかった。
【００２０】
本発明は、このような事情を鑑みてなされたもので、その目的は、ＰＤＮコネクション確立手続きにおけるＭＭＥのＧＷ選択処理時において、ＳＩＰＴＯ＠ＬＮ可能なＬＧＷを選択してＰＤＮコネクションを確立する移動通信システム等を提供することである。
【課題を解決するための手段】
【００２１】
上記課題を解決するために、本発明の移動通信システムは、
移動局装置が接続するホーム基地局装置及びアクセス制御装置が接続されるホームネットワークと、位置管理装置が接続されるコアネットワークとが外部ネットワークを介して接続されている移動通信システムにおいて、
前記ホーム基地局装置は、
前記アクセス制御装置の識別情報及び当該アクセス制御装置のローカルネットワーク経由のオフロードの可否の情報を取得し、
前記アクセス制御装置の識別情報及び当該アクセス制御装置のオフロードの可否の情報を管理し、
前記アクセス制御装置の識別情報及び当該アクセス制御装置のオフロードの可否の情報を前記位置管理装置に通知し、
前記位置管理装置は、      
前記アクセス制御装置の識別情報及び当該アクセス制御装置のオフロードの可否情報を含む情報を前記ホーム基地局装置から受信し、
前記アクセス制御装置の識別情報と、当該アクセス制御装置のオフロードの可否情報と、前記ホーム基地局装置の情報と、を関連付けて管理し、
前記移動局装置は、ローカルネットワーク経由のオフロードのためのＰＤＮコネクションの確立を要求し、
前記位置管理装置は、前記移動局装置の要求と、前記アクセス制御装置の識別情報と、当該アクセス制御装置のオフロードの可否情報と、前記ホーム基地局装置の情報とに基づいて、オフロード可能なアクセス制御装置を選択し、前記アクセス制御装置と前記移動局装置間のＰＤＮコネクションを確立することを特徴とする。
【００２２】
本発明のホーム基地局装置は、
移動局装置が接続するホーム基地局装置及びアクセス制御装置が接続されるホームネットワークと、位置管理装置が接続されるコアネットワークとが外部ネットワークを介して接続されている移動通信システムにおけるホーム基地局装置において、
前記位置管理装置は、アクセス制御装置を選択し、前記アクセス制御装置と前記移動局装置間のＰＤＮコネクションを確立する装置であって、
前記アクセス制御装置の識別情報及び当該アクセス制御装置のローカルネットワーク経由のオフロードの可否の情報を取得し、
前記アクセス制御装置の識別情報及び当該アクセス制御装置のオフロードの可否の情報を管理し、
前記アクセス制御装置の識別情報及び当該アクセス制御装置のオフロードの可否の情報を前記位置管理装置に通知することにより、前記位置管理装置がローカルネットワーク経由のオフロードのためのＰＤＮコネクションを確立する際のアクセス制御装置の選択に用いる情報を登録することを前記位置管理装置に要求することを特徴とする。
【００２３】
本発明の位置管理装置は、
移動局装置が接続するホーム基地局装置及びアクセス制御装置が接続されるホームネットワークと、位置管理装置が接続されるコアネットワークとが外部ネットワークを介して接続されている移動通信システムにおける位置管理装置であって、
前記位置管理装置は、
アクセス制御装置の識別情報及び当該アクセス制御装置のオフロードの可否情報を含む情報を前記ホーム基地局装置から受信し、
アクセス制御装置の識別情報と、当該アクセス制御装置のオフロードの可否情報と、前記ホーム基地局装置の情報と、を関連付けて管理し、
前記移動局装置は、ローカルネットワーク経由のオフロードのためのＰＤＮコネクションの確立を要求し、
前記位置管理装置は、前記移動局装置の要求と、前記アクセス制御装置の識別情報と、当該アクセス制御装置のオフロードの可否情報と、前記ホーム基地局装置の情報とに基づいて、オフロード可能なアクセス制御装置を選択し、前記アクセス制御装置と前記移動局装置間のＰＤＮコネクションを確立することを特徴とする。
【００２４】
本発明の通信方法は、
移動局装置が接続するホーム基地局装置及びアクセス制御装置が接続されるホームネットワークと、位置管理装置が接続されるコアネットワークとが外部ネットワークを介して接続されている移動通信システムにおける通信方法であって、
前記ホーム基地局装置は、
前記アクセス制御装置の識別情報及び当該アクセス制御装置のローカルネットワーク経由のオフロードの可否の情報を取得し、
前記アクセス制御装置の識別情報及び当該アクセス制御装置のオフロードの可否の情報を管理し、
前記アクセス制御装置の識別情報及び当該アクセス制御装置のオフロードの可否の情報を前記位置管理装置に通知し、
前記位置管理装置は、
前記アクセス制御装置の識別情報及び当該アクセス制御装置のオフロードの可否情報を含む情報を前記ホーム基地局装置から受信し、
前記アクセス制御装置の識別情報と、当該アクセス制御装置のオフロードの可否情報と、前記ホーム基地局装置の情報と、を関連付けて管理し、
前記移動局装置は、ローカルネットワーク経由のオフロードのためのＰＤＮコネクションの確立を要求し、
前記位置管理装置は、前記移動局装置の要求と、前記アクセス制御装置の識別情報と、当該アクセス制御装置のオフロードの可否情報と、前記ホーム基地局装置の情報とに基づいて、オフロード可能なアクセス制御装置を選択し、前記アクセス制御装置と前記移動局装置間のＰＤＮコネクションを確立することを特徴とする。
【発明の効果】
【００２５】
ＨｅＮＢがＬＧＷのＳＩＰＴＯ＠ＬＮフラグをＭＭＥに通知することにより、ＭＭＥは、ＳＩＰＴＯ＠ＬＮ可能なＬＧＷを管理することができる。これにより、ＭＭＥは、ＰＤＮコネクション確立手続きにおいて、ＧＷ選択処理時においてＳＩＰＴＯ＠ＬＮ可能なＬＧＷを選択することができる。
【００２６】
さらに、ＭＭＥは、ＧＷ選択処理時において、ＳＩＰＴＯ＠ＬＮ可能なＬＧＷを選択することができることにより、ＳＩＰＴＯ＠ＬＮのＰＤＮコネクションを確立するためのＰＤＮコネクション確立手続きを完了することができる。
さらに、ユーザ（ＵＥ）は、ＳＩＰＴＯ＠ＬＮのＰＤＮコネクションを確立することにより、ＳＩＰＴＯ＠ＬＮを利用したデータ通信を開始することができる。
【００２７】
また、移動通信事業者は、ＳＩＰＴＯ＠ＬＮのＰＤＮコネクションを確立することにより、ＳＩＰＴＯ＠ＬＮを利用したデータ通信を開始することができる。
【図面の簡単な説明】
【００２８】
【図１】移動通信システムの概略を説明するための図である。
【図２】本実施形態におけるＭＭＥの機能構成である。
【図３】本実施形態におけるＭＭＥの記憶部における各種データ構造の一例である。
【図４】本実施形態におけるＬＧＷの機能構成である。
【図５】本実施形態におけるＬＧＷの記憶部における各種データ構造の一例である。
【図６】本実施形態におけるＨｅＮＢの機能構成である。
【図７】本実施形態におけるＨｅＮＢの記憶部における各種データ構造の一例である。
【図８】第１実施形態における処理の流れを説明するための図である。
【図９】ＵＰＬＩＮＫ  ＮＡＳ  ＴＲＡＮＳＰＯＲＴメッセージに含まれる情報要素の一例を示す図である。
【図１０】第１実施形態における処理の流れを説明するための図である。
【図１１】第１実施形態におけるＭＭＥにおけるＧＷの選択について説明するための図である。
【図１２】第２実施形態における処理の流れである。
【図１３】ＵＰＬＩＮＫ  ＮＡＳ  ＴＲＡＮＳＰＯＲＴメッセージに含まれる情報要素の一例を示す図である。
【図１４】ＭＭＥにおいてＳＩＰＴＯ＠ＬＮ可能なＬＧＷのリストを作成する手続きについて説明するための図である。
【発明を実施するための形態】
【００２９】
以下、図面を参照して本発明を実施するための最良の形態について説明する。なお、本実施形態では、一例として、本発明を適用した場合の移動通信システムの実施形態について、図を用いて詳細に説明する。
【００３０】
［１．第１実施形態］
まず、本発明を適用した第１実施形態について、図面を参照して説明する。
【００３１】
［１．１  移動通信システムの概要］
図１は、本実施形態における移動通信システム１の概略を説明するための図である。本図に示すように、移動通信システム１は、コアネットワーク３と、ホームネットワーク５と、ブロードバンドネットワーク７とを含んで構成される。
【００３２】
ブロードバンドネットワーク７は、広帯域の通信を実現する有線アクセスネットワークであり、例えばＡＤＳＬ（Asymmetric Digital Subscriber Line）や光ファイバー等によって構築される。ただし、これに限らずＷｉＭＡＸ（Worldwide Interoperability for Microwave Access）などの無線アクセスネットワークであっても良い。
【００３３】
コアネットワーク３は、移動通信事業者が運用する移動通信ネットワークであり、ＭＭＥ１０（Mobility Management Entity）とＳＧＷ４０とを含んで構成されている。
【００３４】
ＭＭＥ１０は、シグナリングを行うエンティティであり、移動局装置（ＵＥ５０）の位置管理及びＰＤＮコネクションの確立手続きを主導する位置管理装置である。ＰＤＮコネクションとは、ＵＥ毎にＰＧＷとＵＥとの間、もしくは、ホームネットワーク内のＬＧＷ２０とＵＥとの間で確立されるユーザＩＰパケットを転送する論理パスのことである。ＰＤＮコネクションを確立手続きにおいて、ＭＭＥ１０は、ＳＩＰＴＯ＠ＬＮのＰＤＮコネクションを確立することを決定した場合、ＧＷ選択処理を行う。ＧＷ選択においては、ＭＭＥは、ＳＩＰＴＯ＠ＬＮ可能なＬＧＷを選択する。
【００３５】
ＰＤＮコネクションの確立には、ＥＰＳベアラや無線ベアラの確立も含まれ、各ベアラは通信速度や帯域等を要素として特定のＱｏＳレベルを設定することができる。なお、ＭＭＥ１０には、一例として「２００１：１００：２００：３００：：３」のアドレスを割り当てている。なお、ここで割り当てられるアドレスはＩＰｖ６アドレスに限らず、ＩＰｖ４アドレスでもよい。
【００３６】
ＳＧＷ４０は、コアネットワークを経由するユーザデータの送受信の転送に利用される。なお、ＳＧＷ４０は、コアネットワークに収容される従来型の装置である。したがって、その説明は省略する。
【００３７】
ホームネットワーク５は、家庭内のホームネットワークや企業などのコーポレートネットワークなどであり、ＬＧＷ２０と、ＨｅＮＢ３０と、ＵＥ５０とを含んで構成されている。さらに、ホームネットワーク５は、ブロードバンドネットワーク７に接続されている。
【００３８】
ＬＧＷ２０は、ホームネットワーク５とブロードバンドネットワーク７間のゲートウェイ装置であり、ＡＤＳＬモデム内蔵ルータ等の従来のブロードバンドルータとしての機能を備える装置である。なお、ＬＧＷ２０には、一例として、ブロードバンドネットワーク７側に、「２００１：１００：２００：４００：：３」のアドレスを割り当て、ＨｅＮＢ３０側に「２００１：１００：２００：５００：：２」のアドレスを割り当てている。
【００３９】
ここで、ブロードバンド側に割り当てているアドレス（２００１：１００：２００：４００：：３）をＨｅＮＢ３０側のアドレス（２００１：１００：２００：５００：：２）と区別するために、ＬＧＷ＠ＣＮアドレス（ＬＧＷのＣｏｒｅ  Ｎｅｔｗｏｒｋ側のアドレス）と呼び、ＬＧＷ２０のＨｅＮＢ側のアドレス（２００１：１００：２００：５００：：２）をＬＧＷ＠ＬＮアドレス（ＬＧＷのＬｏｃａｌ  Ｎｅｔｗｏｒｋ側のアドレス）と呼ぶ。なお、ここで割り当てられるアドレスはＩＰｖ６アドレスに限らず、ＩＰｖ４アドレスでもよい。
【００４０】
ＨｅＮＢ３０はホームネットワーク５に設置されながら、コアネットワーク事業者の提供する基地局としてＵＥ５０を収容可能である。典型的には、フェムトセルを形成する３ＧＰＰ  ＬＴＥ（Long Term Evolution）の基地局などである。ＨｅＮＢ３０には、「２００１：１００：２００：５００：：３」のアドレスを割り当てている。なお、ここで割り当てられるアドレスはＩＰｖ６アドレスに限らず、ＩＰｖ４アドレスでもよい。なお、ＵＥ５０は、ＨｅＮＢ３０等に収容可能な移動局装置である。
【００４１】
［１．２  装置構成］
続いて、各装置構成について図を用いて簡単に説明する。
【００４２】
［１．２．１  ＭＭＥの構成］
図２は、本実施形態におけるＭＭＥ１０の構成を示す。ＭＭＥ１０は、制御部１００に、送受信部１１０と、ＬＧＷ検出部１４０と、記憶部１５０とがバスを介して接続されている。
【００４３】
制御部１００は、ＭＭＥ１０を制御するための機能部である。制御部１００は、記憶部１５０に記憶されている各種プログラムを読み出して実行することにより各種機能を実現する。
【００４４】
送受信部１１０は、ルータもしくはスイッチに有線接続され、パケットの送受信を行う機能部である。例えば、ネットワークの接続方式として一般的に利用されているＥｔｈｅｒｎｅｔ（登録商標）等により送受信する。
【００４５】
記憶部１５０は、ＭＭＥ１０の動作に必要な各種プログラムや、各種データが記憶されている機能部である。記憶部１５０は、例えば、半導体メモリや、ＨＤＤ（Hard Disk Drive）等により構成されている。さらに、記憶部１５０には、ＨｅＮＢアドレス管理表１５２と、ＬＨＮ管理表１５４と、ＡＰＮ管理表１５６と、が記憶されている。
【００４６】
ＨｅＮＢアドレス管理表１５２では、図３（ａ）に示すように、ＨｅＮＢ３０のアドレス（例えば、「2001:100:200:500::3」）と、ＬＧＷ２０のＬＧＷ＠ＣＮアドレス（例えば、「2001:100:200:400::3」）とが関連付けて管理（記憶）されている。
【００４７】
更に、ＨｅＮＢアドレス管理表１５２では、ＬＧＷ２０におけるＳＩＰＴＯ＠ＬＮの可否を管理するためのＳＩＰＴＯ＠ＬＮフラグが記憶されている。ＳＩＰＴＯ＠ＬＮフラグが「ＯＮ」であれば、ＳＩＰＴＯ＠ＬＮを利用可能であり、「ＯＦＦ」であればＳＩＰＴＯ＠ＬＮを利用可能でないことを示している。例えば、ＬＧＷ２０においてＳＩＰＴＯ＠ＬＮが利用可能か否かは、ＳＩＰＴＯ＠ＬＮのＰＤＮコネクション確立のための機能の有無により利用可能か否かが決定されてもよいし、もしくはＬＧＷ２０がＳＩＰＴＯ＠ＬＮの機能をオンオフする設定を有し、事業者によるオンオフの設定に基づいて利用可能か否かが決定されても良い。
【００４８】
ここで、ＨｅＮＢアドレス管理表１５２では、単一のＬＧＷ＠ＣＮアドレスに対して複数のＨｅＮＢアドレスが管理されていても良い。複数のＨｅＮＢアドレスが管理される場合であっても、ＨｅＮＢアドレス毎にＬＧＷ＠ＣＮアドレス及びＬＧＷ２０におけるＳＩＰＴＯ＠ＬＮフラグ（ＯＮ／ＯＦＦ）が管理される。
【００４９】
またＨｅＮＢアドレス管理表１５２では、ＬＧＷ２０において利用可能なＡＰＮ識別子を管理している。これは、このＡＰＮを利用して接続するＵＥ５０に対して、ＭＭＥ１０は、ＬＧＷ２０を選択してＰＤＮコネクションを確立することができることを表している。
【００５０】
ＬＧＷ検出部１４０は、ＨｅＮＢ３０から通知されたＬＧＷ２０のＳＩＰＴＯ＠ＬＮフラグを判断し、ＬＧＷ２０におけるＳＩＰＴＯ＠ＬＮフラグのＯＮ／ＯＦＦをＨｅＮＢアドレス管理表１５２へ含める。ここで、ＳＩＰＴＯ＠ＬＮフラグが通知されない場合には、ＬＧＷ２０がＳＩＰＴＯ＠ＬＮを利用可能でないとして、「ＯＦＦ」に設定する。
【００５１】
ここで示されるＳＩＰＴＯ＠ＬＮフラグでは、ＬＩＰＡ（Ｌｏｃａｌ  ＩＰ  Ａｃｃｅｓｓ）のような別のサービスを利用することはできず、ＬＩＰＡを利用できるＬＧＷ２０を検出する場合には、ＬＩＰＡにおけるＯＮ／ＯＦＦを示す情報を必要とする。これは、ＳＩＰＴＯ＠ＬＮ可能なＬＧＷ２０は、必ずしもＬＩＰＡを利用できるとは限らないことを示している。また、ＬＩＰＡ可能なＬＧＷ２０において、必ずしもＳＩＰＴＯ＠ＬＮを利用できるとは限らないことを示している。また、ＬＧＷ２０は、ＳＩＰＴＯ＠ＬＮもＬＩＰＡも両方利用できる場合もある。
【００５２】
ＬＨＮ管理表１５４は、図３（ｂ）に示すように、ＬＨＮ識別子、ＬＧＷ識別子、ＨｅＮＢ識別子を含んで構成されている。図３（ｂ）に示すＬＨＮ管理表１５４では、ＬＨＮ１にＬＧＷ２０とＨｅＮＢ３０が含まれており、ＬＨＮ１にＬＧＷ２０とＨｅＮＢ３０が属していることを示している。なお、ＬＨＮ識別子は、ＨｅＮＢ３０から送信されることにより、ＬＧＷ２０と関連付けてＬＨＮ管理表１５４で管理される。また、ＬＧＷ識別子は、ＩＰｖ４アドレスやＩＰｖ６アドレスで示されても良い。さらに、ＨｅＮＢ識別子は、ＩＰｖ４アドレスやＩＰｖ６アドレスで示されても良い。
【００５３】
ＡＰＮ管理表１５６は、ＵＥ毎に管理される加入者情報であり、図３（ｃ）に示すように、ＡＰＮ識別子（例えば、「ＡＰＮ１」）と、移動通信事業者の許可情報（例えば、「ＳＩＰＴＯ＠ＬＮ  ａｌｌｏｗｅｄ  ｏｎｌｙ」）とをユーザ毎に管理している。
【００５４】
ここで、ＡＰＮ（Access  Point Name）は、図３（ｃ）のように管理する移動通信事業者における接続先情報である。ＵＥは、通信に先だって、サービス毎（ＰＤＮ）の接続先を確立する必要があり、ＰＤＮの接続先を取得するために、ＰＤＮコネクション確立手続きにおいてＡＰＮをＭＭＥへ通知することにより、ＰＤＮの接続先を確立することができる。
【００５５】
ＡＰＮは移動通信事業者の許可情報と関連付けられており、例えば、ＳＩＰＴＯ＠ＬＮ  ａｌｌｏｗｅｄ  ｏｎｌｙという許可情報に関連付けられたＡＰＮにおいて、ＳＩＰＴＯ＠ＬＮを利用可能である。ここで、ＳＩＰＴＯ＠ＬＮ  ａｌｌｏｗｅｄ  ｏｎｌｙではなく、ＳＩＰＴＯ  ａｌｌｏｗｅｄ  ＳＩＰＴＯ＠ＬＮの許可情報とＡＰＮが関連付けられた場合、そのＡＰＮにおいて、ＳＩＰＴＯ＠ＬＮだけでなく、ＳＩＰＴＯ＠ＲＮを利用することができる。
【００５６】
また、移動通信時儀者の許可情報には複数の種類があり、ＳＩＰＴＯ＠ＬＮ  ａｌｌｏｗｅｄ  ｏｎｌｙでなく、ＳＩＰＴＯ  ａｌｌｏｗｅｄ  ｉｎｃｌｕｄｉｎｇ  ＳＩＰＴＯ＠ＬＮであっても良く、ＬＩＰＡ  ａｌｌｏｗｅｄやＬＩＰＡ  ｃｏｎｄｉｔｉｏｎａｌであっても良い。
【００５７】
ここで示されるＡＰＮ１のみでは、ＬＩＰＡのような別のサービスを利用することはできず、ＬＩＰＡを利用できるＬＧＷ２０を検出する場合には、別のＡＰＮを利用してＬＩＰＡに対応するＡＰＮを示す必要がある。これは、ＳＩＰＴＯ＠ＬＮ可能なＬＧＷ２０は、必ずしもＬＩＰＡを利用できるとは限らないことを示している。また、ＬＩＰＡ可能なＬＧＷ２０において、必ずしもＳＩＰＴＯ＠ＬＮを利用できるとは限らないことを示している。さらに、ＬＧＷ２０は、ＳＩＰＴＯ＠ＬＮもＬＩＰＡも両方利用できる場合もある。
【００５８】
［１．２．２  ＬＧＷの構成］
続いて、本実施形態におけるＬＧＷ２０の構成を図４に示す。ＬＧＷ２０は、制御部２００に、ブロードバンドネットワークインタフェース部２２０と、ホームネットワークインタフェース部２３０と、記憶部２５０とがバスを介して接続されている。
【００５９】
制御部２００は、ＬＧＷ２０の全体を制御するための機能部である。制御部２００は、記憶部２５０に記憶されている各種プログラムを読み出して実行することにより各種機能を実現しており、例えばＣＰＵ（Central Process Unit）等により構成されている。
【００６０】
ブロードバンドネットワークインタフェース部２２０は、ブロードバンドネットワーク７と接続されるネットワークインタフェース部であり、ブロードバンドネットワークインタフェース部２２０からパケットを受信し、ホームネットワークインタフェース部２３０へ転送する。また、ホームネットワークインタフェース部２３０から受信したパケットをブロードバンドネットワークインタフェース部２２０へ転送する。
【００６１】
ホームネットワークインタフェース部２３０は、ホームネットワーク５と接続されるネットワークインタフェース部であり、ブロードバンドネットワークインタフェース部２２０に転送したり、逆にブロードバンドネットワークインタフェース部２２０により受信されたパケットが転送されたりする。
【００６２】
記憶部２５０は、ＬＧＷ２０の動作に必要な各種プログラムや、各種データが記憶されている機能部である。記憶部２５０は、例えば、半導体メモリや、ＨＤＤ（Hard Disk Drive）等により構成されている。
【００６３】
また、記憶部２５０には、ＬＧＷ＠ＣＮアドレス２５２と、ＬＧＷ＠ＬＮアドレス２５４と、ＨｅＮＢアドレス２５６と、ＳＩＰＴＯ＠ＬＮのＯＮ／ＯＦＦ２５８と、ＡＰＮ２６０とが記憶されている。図５に、ＬＧＷ＠ＣＮアドレス２５２、ＬＧＷ＠ＬＮアドレス２５４、ＨｅＮＢアドレス２５６、ＳＩＰＴＯ＠ＬＮフラグ２５８及びＡＰＮ２６０の例を示す。
【００６４】
図５(ａ)に示すように、ＬＧＷ＠ＣＮアドレス２５２には、ＬＧＷにおけるブロードバンドネットワーク側のインタフェースに割り当てられたアドレスとして「２００１：１００：２００：４００：：３」が管理されている。ここで、ＬＧＷ＠ＣＮアドレス２５２は、あらかじめ設定されていてもいいし、ブロードバンドネットワーク事業者や、移動通信事業者、ＨｅＮＢ３０から通知されても良い。また、ＩＰｖ６アドレスとして記載しているが、ＩＰｖ４アドレスを利用しても良い。
【００６５】
ＬＧＷ＠ＬＮアドレス２５４は、図５(ｂ)に示すように、ＬＧＷにおけるブロードバンドネットワーク側のインタフェースに割り当てられたアドレスとして「２００１：１００：２００：５００：：２」が含められている。ここで、ＬＧＷ＠ＬＮアドレス２５４は、あらかじめ設定されていてもいいし、ブロードバンドネットワーク事業者や、移動通信事業者、ＨｅＮＢ３０から通知されても良い。また、ＩＰｖ６アドレスとして記載しているが、ＩＰｖ４アドレスを利用しても良い。
【００６６】
ＨｅＮＢアドレス２５６は、図５(ｃ)に示すように、ＨｅＮＢ３０のアドレスとして、「２００１：１００：２００：５００：：３」が含められている。
【００６７】
ＳＩＰＴＯ＠ＬＮフラグ２５８は、図５（ｄ）に示すように、「ＯＮ」となっている。また、ＳＩＰＴＯ＠ＬＮフラグ２５８は、出荷時に設定されていても良いし、移動通信事業者によってあらかじめ設定していても良い。
【００６８】
ここで示されるＳＩＰＴＯ＠ＬＮフラグでは、ＬＩＰＡのような別のサービスを利用することはできず、ＬＩＰＡを利用できるＬＧＷ２０を検出する場合には、ＬＩＰＡにおけるＯＮ／ＯＦＦを示す情報を必要とする。これは、ＳＩＰＴＯ＠ＬＮ可能なＬＧＷ２０は、必ずしもＬＩＰＡを利用できるとは限らないことを示している。また、ＬＩＰＡ可能なＬＧＷ２０において、必ずしもＳＩＰＴＯ＠ＬＮを利用できるとは限らないことを示している。さらに、ＬＧＷ２０は、ＳＩＰＴＯ＠ＬＮもＬＩＰＡも両方利用できる場合もある。
【００６９】
ＡＰＮ２６０は、図５（ｅ）に示すように、ＬＧＷ２０において利用可能なＡＰＮ（ＡＰＮ１）を管理している。ここで管理されるＡＰＮは、ＭＭＥ１０において同じＡＰＮが管理されている。また、複数のＡＰＮに対応する場合、複数のＡＰＮを管理しても良い。ここで、ＡＰＮ２６０は、出荷時に設定されていても良いし、移動通信事業者によってあらかじめ設定していても良い。
【００７０】
また、ここで示されるＡＰＮ１のみでは、ＬＩＰＡのような別のサービスを利用することはできず、ＬＩＰＡを利用できるＬＧＷ２０を検出する場合には、別のＡＰＮを利用してＬＩＰＡに対応するＡＰＮを示す必要がある。これは、ＳＩＰＴＯ＠ＬＮ可能なＬＧＷ２０は、必ずしもＬＩＰＡを利用できとは限らないことを示している。また、ＬＩＰＡ可能なＬＧＷ２０において、必ずしもＳＩＰＴＯ＠ＬＮを利用できとは限らないことを示している。さらに、ＬＧＷ２０は、ＳＩＰＴＯ＠ＬＮもＬＩＰＡも両方利用できる場合もある。
【００７１】
［１．２．３  ＨｅＮＢの構成］
図６は、本実施形態におけるＨｅＮＢ３０の構成を示す。ＨｅＮＢ３０は、制御部３００に、ＬＴＥ基地局部３１０と、ホームネットワークインタフェース部３２０と、記憶部３５０とがバスを介して接続されている。
【００７２】
制御部３００は、ＨｅＮＢ３０の全体を制御するための機能部である。制御部３００は、記憶部３５０に記憶されている各種プログラムを読み出して実行することにより各種機能を実現しており、例えばＣＰＵ（Central Process Unit）等で構成されている。
【００７３】
ＬＴＥ基地局部３１０は、Ｅ−ＵＴＲＡＮの基地局として機能し、ＵＥを収容するための機能部である。また、ＬＴＥ基地局部３１０には、外部アンテナ３１２が接続されている。
【００７４】
ホームネットワークインタフェース部３２０は、ホームネットワーク５からパケットを受信し、送信先ＩＰアドレスを書き換えてＬＴＥ基地局部３１０に転送する機能部である。
【００７５】
また、ホームネットワークインタフェース部３２０は、ＬＴＥ基地局部３１０から受信したパケットをホームネットワークインタフェース部３２０へ転送する。
【００７６】
記憶部３５０は、ＨｅＮＢ３０の各種動作に必要なプログラム、データ等を記憶する機能部であり、ＨｅＮＢアドレス３５２と、ＬＧＷ管理表３５４と、ＬＨＮ識別子３５６とが記憶されている。図７に、ＨｅＮＢアドレス３５２、ＬＧＷ管理表３５４、ＬＨＮ識別子３５６を示す。
【００７７】
図７（ａ）に示すように、ＨｅＮＢアドレス３５２は、ＨｅＮＢ３０のアドレス（例えば、「2001:100:200:500::3」）が含められている。ここで、ＨｅＮＢアドレス３５２は、あらかじめ設定されていてもいいし、ブロードバンドネットワーク事業者や、移動通信事業者、ＬＧＷ２０から通知されても良い。また、ＩＰｖ６アドレスとして記載しているが、ＩＰｖ４アドレスを利用しても良い。
【００７８】
図７（ｂ）に示すように、ＬＧＷ管理表３５４は、ＨｅＮＢ３０に接続されたＬＧＷ２０のＬＧＷ＠ＬＮアドレスと、ＬＧＷ＠ＣＮアドレスと、ＳＩＰＴＯ＠ＬＮフラグとを関連付けて管理している。ここで、ＬＧＷ＠ＣＮアドレス及びＬＧＷ＠ＬＮアドレスは、あらかじめ設定されていてもいいし、ブロードバンドネットワーク事業者や、移動通信事業者、ＬＧＷ２０から通知されても良い。また、ＩＰｖ６アドレスとして記載しているが、ＩＰｖ４アドレスを利用しても良い。
【００７９】
また、ＳＩＰＴＯ＠ＬＮフラグでは、ＬＩＰＡのような別のサービスを利用することはできず、ＬＩＰＡを利用できるＬＧＷ２０を検出する場合には、ＬＩＰＡにおけるＯＮ／ＯＦＦを示す情報を必要とする。
【００８０】
更に、ＳＩＰＴＯ＠ＬＮフラグは、ＨｅＮＢ３０がＬＧＷ２０から受信し、管理しておく。さらに、ＨｅＮＢ３０が複数のＬＧＷに接続する場合、ＬＧＷ管理表３５４に複数管理されていても良い。
【００８１】
ここで、ＬＧＷ管理表３５４は、ＨｅＮＢ３０に接続されたＬＧＷ２０のＬＧＷ＠ＬＮアドレスと、ＬＧＷ＠ＣＮアドレスと、ＡＰＮ識別子とを関連付けて管理していても良い。また、ＬＧＷ＠ＣＮアドレス及びＬＧＷ＠ＬＮアドレスは、あらかじめ設定されていてもいいし、ブロードバンドネットワーク事業者や、移動通信事業者、ＬＧＷ２０から通知されても良い。また、ＩＰｖ６アドレスとして記載しているが、ＩＰｖ４アドレスを利用しても良い。
【００８２】
さらに、ＡＰＮでは、ＬＩＰＡのような別のサービスを利用することはできず、ＬＩＰＡを利用できるＬＧＷ２０を検出する場合には、別のＡＰＮを利用してＬＩＰＡに対応するＡＰＮを示す必要がある。これは、ＳＩＰＴＯ＠ＬＮ可能なＬＧＷ２０は、必ずしもＬＩＰＡを利用できるとは限らないことを示している。また、ＬＩＰＡ可能なＬＧＷ２０において、必ずしもＳＩＰＴＯ＠ＬＮを利用できるとは限らないことを示している。さらに、ＬＧＷ２０は、ＳＩＰＴＯ＠ＬＮもＬＩＰＡも両方利用できる場合もある。
【００８３】
ＬＨＮ識別子３５６は、図７（ｃ）に、示すように、Ｌｏｃａｌ  ＨｅＮＢ  Ｎｅｔｗｏｒｋ（ＬＨＮ）を識別するための識別子（ＬＨＮ識別子）であり、同じＬＨＮに属するＨｅＮＢ３０やＬＧＷ２０は同じＬＨＮ識別子が割り当てられる。なお、ＬＨＮ識別子は、移動通信事業者がＨｅＮＢ３０において手動で設定できるものである。
【００８４】
［１．３  処理の説明］
続いて、本実施形態における処理の説明をする。本実施形態では、ＬＧＷ２０がＳＩＰＴＯ＠ＬＮフラグ（ＳＩＰＴＯ＠ＬＮのＯＮ／ＯＦＦに関する情報）をＨｅＮＢ３０へ通知し、ＳＩＰＴＯ＠ＬＮをサポートしていることを検知したＨｅＮＢ３０は、ＭＭＥ１０へＳＩＰＴＯ＠ＬＮフラグを通知する。
【００８５】
本実施形態では、ＨｅＮＢ３０は、ＬＧＷ２０からＬＧＷ２０のＬＧＷ＠ＣＮアドレス及びＬＧＷ２０におけるＬＧＷ２０のＳＩＰＴＯ＠ＬＮフラグを受信する。また、ＨｅＮＢ３０は、ＭＭＥ１０へＬＧＷ２０のＬＧＷ＠ＣＮアドレス及びＬＧＷ２０のＳＩＰＴＯ＠ＬＮフラグをＭＭＥへ通知することにより、ＭＭＥ１０は、ＨｅＮＢ毎に、ＳＩＰＴＯ＠ＬＮ可能なＬＧＷを検知することができる。
【００８６】
ここで、ＳＩＰＴＯ＠ＬＮフラグでは、ＬＩＰＡのような別のサービスを利用できることを検知することはできず、ＬＩＰＡを利用できるＬＧＷ２０を検出する場合には、ＬＩＰＡにおけるＯＮ／ＯＦＦを示す情報を必要とする。
【００８７】
これは、ＳＩＰＴＯ＠ＬＮ可能なＬＧＷ２０は、必ずしもＬＩＰＡを利用できるとは限らないことを示している。また、ＬＩＰＡ可能なＬＧＷ２０において、必ずしもＳＩＰＴＯ＠ＬＮを利用できるとは限らないことを示している。さらに、ＬＧＷ２０は、ＳＩＰＴＯ＠ＬＮもＬＩＰＡも両方利用できる場合もある。
【００８８】
ＳＩＰＴＯ＠ＬＮ可能なＬＧＷを検知するための一連の手続きについて、図８を用いて説明する。
【００８９】
なお、ＨｅＮＢ３０のＨｅＮＢアドレス及びＬＧＷ２０のＬＧＷ＠ＬＮのアドレスは、ローカルディカバリー手続きのような既に定義された方法を利用することで取得でき、ＨｅＮＢ３０及びＬＧＷ２０間におけるデータの送受信はできるものとする。
【００９０】
ＨｅＮＢ３０及びＬＧＷ２０間においてデータの送受信ができることを確認し、ＨｅＮＢ３０は、ＬＧＷ２０へ、ＬＧＷ＠ＣＮアドレスの問い合わせを行う（Ｓ１００２）。ＨｅＮＢ３０からＬＧＷ＠ＣＮアドレスの問い合わせを受信したＬＧＷ２０は、ＬＧＷ２０のＬＧＷ＠ＣＮアドレス及びＬＧＷ２０におけるＳＩＰＴＯ＠ＬＮフラグの通知を行う（Ｓ１００４）。
【００９１】
ここで、ＬＧＷ＠ＣＮアドレス及びＳＩＰＴＯ＠ＬＮフラグを通知する方法はＬＧＷ２０へ問い合わせる方法に限るものでなく、例えば、ＬＧＷ２０がＤＮＳサーバへＬＧＷのＬＧＷ＠ＣＮアドレス及びＳＩＰＴＯ＠ＬＮフラグの情報をあらかじめ登録しておき、ＨｅＮＢ３０がＦＱＤＮをキーにしてＤＮＳサーバへ問い合わせることで、ＬＧＷ２０のＬＧＷ＠ＣＮアドレス及びＳＩＰＴＯ＠ＬＮフラグの情報を取得しても良い。
【００９２】
ここで、ＳＩＰＴＯ＠ＬＮフラグでは、ＬＩＰＡのような別のサービスを通知することはできず、ＬＩＰＡを利用できることをＨｅＮＢ３０へ通知する場合には、ＬＩＰＡにおけるＯＮ／ＯＦＦを示す情報を通知する必要がある。これは、ＳＩＰＴＯ＠ＬＮ可能なＬＧＷ２０は、必ずしもＬＩＰＡを利用できるとは限らないことを示している。また、ＬＩＰＡ可能なＬＧＷ２０において、必ずしもＳＩＰＴＯ＠ＬＮを利用できるとは限らないことを示している。また、ＬＧＷ２０は、ＳＩＰＴＯ＠ＬＮもＬＩＰＡも両方利用できてもよい。
【００９３】
ＬＧＷ＠ＣＮアドレスを受信したＨｅＮＢ３０は、ＬＧＷ＠ＣＮアドレス及びＳＩＰＴＯ＠ＬＮフラグをＬＧＷ管理表３５４に格納する（Ｓ１００６）。ここで、ＨｅＮＢ３０が複数のＬＧＷに接続している場合には、複数のＬＧＷアドレスを管理する。
【００９４】
ＬＧＷ２０のＬＧＷ＠ＣＮアドレス及びＳＩＰＴＯ＠ＬＮフラグを格納したＨｅＮＢ３０は、ＭＭＥ１０へＵＰＬＩＮＫ  ＮＡＳ  ＴＲＡＮＳＰＯＲＴメッセージを送信する（Ｓ１００８）。
【００９５】
これにより、ＨｅＮＢ３０は、ＭＭＥ１０がローカルネットワーク経由のオフロードのためのＰＤＮコネクションを確立する際のＧＷ選択に用いる情報を登録することをＭＭＥ１０に要求する。
【００９６】
図９に、ＵＰＬＩＮＫ  ＮＡＳ  ＴＲＡＮＳＰＯＲＴメッセージに含まれる情報要素を示す。図９に示すように、ＵＰＬＮＫ  ＮＡＳ  ＴＲＡＮＳＰＯＲＴメッセージには、ＬＧＷ＠ＣＮアドレス（例えば、「２００１：１００：２００：４００：：３」）と、ＬＨＮ識別子（例えば、「ＬＨＮ１」）と、ＳＩＰＴＯ＠ＬＮフラグ（例えば、「ＯＮ」）とが含まれる。
【００９７】
ここで、ＬＨＮ識別子は、ＨｅＮＢにおいてあらかじめ設定されているものを利用する。なお、ＨｅＮＢ３０が複数のＬＧＷに接続している場合には、複数のＬＧＷアドレス及びＬＧＷアドレスに対応するＳＩＰＴＯ＠ＬＮフラグを通知しても良い。
【００９８】
ここで、ＳＩＰＴＯ＠ＬＮフラグでは、ＬＩＰＡのような別のサービスを通知することはできず、ＬＩＰＡを利用できることをＵＰＬＮＫ  ＮＡＳ  ＴＲＡＮＰＯＲＴメッセージへ含める場合には、ＬＩＰＡにおけるＯＮ／ＯＦＦを示す情報を含める必要がある。これは、ＳＩＰＴＯ＠ＬＮ可能なＬＧＷ２０は、必ずしもＬＩＰＡを利用できるとは限らないことを示している。また、ＬＩＰＡ可能なＬＧＷ２０において、必ずしもＳＩＰＴＯ＠ＬＮを利用できるとは限らないことを示している。さらに、ＬＧＷ２０は、ＳＩＰＴＯ＠ＬＮもＬＩＰＡも両方利用できてもよい。
【００９９】
ＨｅＮＢ３０からＬＧＷ＠ＣＮアドレス及びＬＧＷ２０のＳＩＰＴＯ＠ＬＮフラグの情報を受信したＭＭＥ１０は、ＳＩＰＴＯ＠ＬＮ可能なＬＧＷのリストとして、ＨｅＮＢ２０から送信されてきたＬＧＷ＠ＣＮアドレス及びＬＧＷ２０のＳＩＰＴＯ＠ＬＮフラグに加え、ＨｅＮＢ３０の送信元ＩＰアドレスを関連付けてＨｅＮＢアドレス管理表１５２のように管理する（Ｓ１０１０）。
【０１００】
ここで、ＳＩＰＴＯ＠ＬＮフラグでは、ＬＩＰＡのような別のサービスを利用することはできず、ＬＩＰＡを利用できることを管理する場合には、ＬＩＰＡにおけるＯＮ／ＯＦＦを示す情報を管理する必要がある。これは、ＳＩＰＴＯ＠ＬＮ可能なＬＧＷ２０は、必ずしもＬＩＰＡを利用できるとは限らないことを示している。また、ＬＩＰＡ可能なＬＧＷ２０において、必ずしもＳＩＰＴＯ＠ＬＮを利用できるとは限らないことを示している。さらに、ＬＧＷ２０は、ＳＩＰＴＯ＠ＬＮもＬＩＰＡも両方利用できる場合もある。
【０１０１】
以上の手続きにより、ＨｅＮＢ３０がＬＧＷ２０においてＳＩＰＴＯ＠ＬＮフラグの通知を行うことによって、ＭＭＥ１０は、ＳＩＰＴＯ＠ＬＮ可能なＬＧＷを検知することができる。
【０１０２】
続いて、上記で検知したＳＩＰＴＯ＠ＬＮ可能なＬＧＷにより、ＭＭＥ１０がＰＤＮコネクション手続きにおいて、ＳＩＰＴＯ＠ＬＮ可能なＬＧＷを選択する処理を図１０に示す。
【０１０３】
まず、ＵＥ５０は、ＡＰＮ１を含めて、ＰＤＮ接続要求をＭＭＥ１０へ送信する（Ｓ２００２）。ここで含められるＡＰＮ１は、ＭＭＥにおいて、ＳＩＰＴＯ＠ＬＮ  ａｌｌｏｗｅｄ  ｏｎｌｙという許可情報とともに関連付けられている。また、ＰＤＮ接続要求は、ＨｅＮＢ３０を経由して送信される。これにより、ＵＥ５０はＳＩＰＴＯ＠ＬＮに用いるＰＮＤコネクションの確立を要求する。
【０１０４】
ＵＥ５０からＰＤＮ接続要求を受信したＭＭＥ１０は、ＧＷ選択を行う（Ｓ２００４）。図１１を用いて、ＭＭＥ１０におけるＧＷ選択の説明を行う。まず、ＭＭＥ１０は、ＰＤＮ接続要求に含まれたＨｅＮＢ３０とＡＰＮの確認を行う（Ｓ２５０２）。
【０１０５】
続いて、ＵＥ５０におけるＰＤＮ接続要求に含まれるＡＰＮ（ＡＰＮ１）に基づいて、ＡＰＮ管理表１５６を確認し、ＡＰＮ１において、移動通信事業者の許可情報としてＳＩＰＴＯ＠ＬＮ  ａｌｌｏｗｅｄ  ｏｎｌｙが許可されていることを確認する（Ｓ２５０４）。ここで、ＡＰＮ１に対応する許可情報として、あらかじめ、コアネットワーク内のサーバにおいて管理されているブロードバンド事業者の許可情報やＵＥの許可情報を確認しても良い。
【０１０６】
さらに、ＭＭＥ１０は、ＨｅＮＢアドレス管理表１５２において、ＰＤＮ接続要求において経由してきたＨｅＮＢ３０のＨｅＮＢアドレス及びＳＩＰＩＴＯ＠ＬＮフラグにおいて、「ＯＮ」が管理されているＬＧＷ＠ＣＮアドレス（例えば、「２００１：１００：２００：４００：：３」）を抽出する（Ｓ２５０６）。ここで、抽出されるＬＧＷ３０が複数である場合、ＭＭＥ１０は任意にＬＧＷ３０を選択することができる。
【０１０７】
なお、ＬＧＷ＠ＣＮアドレスが検出できなかった場合には、ＳＩＰＴＯ＠ＬＮにおいて、ＰＤＮ接続できないと判断し、ＵＥ５０へＰＤＮ接続を確立できないことを示す通知を送信する。
【０１０８】
図１０に戻り、続いて、ＭＭＥ１０は、ＳＧＷ４０へセッション生成要求を送信する（Ｓ２００６）。このとき、ＭＭＥ１０は、Ｓ２００４において検出したＬＧＷ＠ＣＮアドレス及びＳＩＰＴＯ＠ＬＮを示す情報を含める。ここで、ＳＩＰＴＯ＠ＬＮを示す情報として、ＵＥ５０から通知されたＡＰＮを含めてもよい。
【０１０９】
セッション生成要求を受信したＳＧＷ４０は、セッション生成要求において含められたＬＧＷ＠ＣＮアドレスに対応するＬＧＷ２０へセッション生成要求を送信する（Ｓ２００８）。このとき、ＳＧＷ４０は、ＭＭＥ１０から通知されたＳＩＰＴＯ＠ＬＮを示す情報をセッション生成要求に含める。ＳＧＷ４０からセッション生成要求を受信したＬＧＷ２０は、ＳＩＰＴＯ＠ＬＮを示す情報により、ＳＩＰＴＯ＠ＬＮを利用可能かどうかを判断する。
【０１１０】
このＳＩＰＴＯ＠ＬＮの利用可能である場合には、ＳＧＷ４０へセッション生成応答にＳＩＰＴＯ＠ＬＮ可能であることを示す情報を含めて送信する（Ｓ２０１０）。なお、ＳＩＰＴＯ＠ＬＮ可能でない場合には、ＳＩＰＴＯ＠ＬＮ可能でないことを示す情報を含める。
【０１１１】
ＬＧＷ２０からセッション生成応答を受信したＳＧＷ３０は、セッション生成応答をＭＭＥ１０へ送信する（Ｓ２０１２）。このとき、ＬＧＷ２０がＳＩＰＴＯ＠ＬＮ可能であるかどうかを示す情報を含める。
【０１１２】
ＳＧＷ４０からセッション生成応答を受信したＭＭＥ１０は、ＬＧＷ２０がＳＩＰＴＯ＠ＬＮを利用可能かどうかを示す情報を確認する。ＬＧＷ２０がＳＩＰＴＯ＠ＬＮを利用可能であれば、ベアラ設定要求をＨｅＮＢ３０へ送信する（Ｓ２０１４）。なお、このとき、ＭＭＥ１０は、ＳＩＰＴＯ＠ＬＮを示す情報及びＳ２００４で検出したＬＧＷ＠ＣＮアドレスを含める。ここで、ＳＩＰＴＯ＠ＬＮを示す情報は、ＡＰＮであっても良い。
【０１１３】
ＭＭＥ１０からベアラ設定要求を受信したＨｅＮＢ３０は、ＲＲＣ接続再設定をＵＥ５０へ送信する（Ｓ２０１６）。ＨｅＮＢ３０からＲＲＣ接続再設定を受信したＵＥ５０は、ＲＲＣ接続再設定を送信してきたＨｅＮＢ３０においてＲＲＣ接続を再設定する。ＲＲＣ接続再設定を完了したＵＥ５０は、ＲＲＣ接続再設定完了をＨｅＮＢ３０へ送信する（Ｓ２０１８）。
【０１１４】
ＲＲＣ接続再設定完了を受信したＨｅＮＢは、ベアラ設定応答をＭＭＥ１０へ送信する（Ｓ２０２０）。
【０１１５】
さらに、ＵＥ５０は、通信を行えるかを確認するために、直接通信を行う（ＳＳ０２２）。直接通信を受信したＨｅＮＢ３０は、ＰＤＮ接続完了をＭＭＥ１０へ送信する（Ｓ２０２４）。ＰＤＮ接続完了を受信したＭＭＥ１０は、ベアラ設定要求をＳＧＷ４０へ送信する（Ｓ２０２６）。なお、ここでは、ＵＥ５０及びＬＧＷ２０間において、ＰＤＮ接続が完了したことを通知するためのメッセージである。ベアラ設定要求を受信したＳＧＷ４０は、ＵＥ５０及びＬＧＷ２０間において、ＰＤＮ接続が完了したことを確認し、ベアラ変更応答をＭＭＥ１０へ返信する（Ｓ２０２８）。
【０１１６】
さらに、ＨｅＮＢ３０は、Ｓ３０１４で受信したベアラ設定要求におけるＳＩＰＴＯ＠ＬＮを示す情報に基づき、ＬＧＷ２０へＳＩＰＴＯ＠ＬＮセッション生成要求を送信する（Ｓ２０３０）。ＨｅＮＢ３０からＳＩＰＴＯ＠ＬＮセッション生成要求を受信したＬＧＷ２０は、ＨｅＮＢ３０へセッション生成を行う。セッション生成要求を完了したことを確認したＬＧＷ２０へＳＩＰＴＯ＠ＬＮセッション生成応答をＨｅＮＢ３０へ送信する（Ｓ２０３２）。
【０１１７】
以上の手続きにより、ＳＩＰＴＯ＠ＬＮにおけるＰＤＮコネクション手続きを完了することができ、ＵＥ５０とＬＧＷ２０間において、ＳＩＰＴＯ＠ＬＮにおけるＰＤＮコネクションを確立することができる。
【０１１８】
ここで、ＡＰＮに設定する許可情報は、ＳＩＰＴＯ  ａｌｌｏｗｅｄ  ｉｎｃｌｕｄｉｎｇ  ＳＩＰＴＯ＠ＬＮやＳＩＰＴＯ＠ＬＮ  ａｌｌｏｗｅｄ  ｏｎｌｙといった許可情報が設定可能であり、ＳＩＰＴＯ  ａｌｌｏｗｅｄ  ｉｎｃｌｕｄｉｎｇ  ＳＩＰＴＯ＠ＬＮを設定されたＡＰＮでは、ＳＩＰＴＯ＠ＬＮに加え、ＳＩＰＴＯ＠ＲＮも利用可能であり、ＳＩＰＴＯ＠ＬＮ  ｏｎｌｙでは、ＳＩＰＴＯ＠ＬＮだけを許可していることを示している。
【０１１９】
なお、ＳＩＰＴＯ  ａｌｌｏｗｅｄ  ｉｎｃｌｕｄｉｎｇ  ＳＩＰＴＯ＠ＬＮを設定されたＡＰＮでは、ＭＭＥ１０は、ＧＷ選択において、ＳＩＰＴＯ＠ＬＮ可能なＬＧＷ２０だけでなく、ＳＩＰＴＯ＠ＲＮ可能なＴＯＦからも任意に選択することができる。
【０１２０】
ＭＭＥ１０は、ＧＷ選択処理時において、ＨｅＮＢから通知されるＬＧＷアドレスと、ＳＩＰＴＯ＠ＬＮフラグと、ＬＧＷアドレスと、ＳＩＰＴＯ＠ＬＮフラグを通知する際のＨｅＮＢのＨｅＮＢアドレスと、ＰＤＮコネクション手続きにおけるＵＥからのＰＤＮ接続要求に含まれるＡＰＮとＵＥからＭＭＥへＰＤＮ接続要求を送信する際に経由するＨｅＮＢのＨｅＮＢアドレスとに基づいて、ＳＩＰＴＯ＠ＬＮ可能なＬＧＷを選択することができる。
【０１２１】
また、ＭＭＥ１０は、ＧＷ選択処理時において、ＳＩＰＴＯ＠ＬＮ可能なＬＧＷを選択することができることにより、ＳＩＰＴＯ＠ＬＮのＰＤＮコネクションを確立するためのＰＤＮコネクション確立手続きを完了することができる。
【０１２２】
さらに、ユーザ（ＵＥ）は、ＳＩＰＴＯ＠ＬＮのＰＤＮコネクションを確立することにより、ＳＩＰＴＯ＠ＬＮを利用したデータ通信を開始することができる。
【０１２３】
また、移動通信事業者は、ＳＩＰＴＯ＠ＬＮのＰＤＮコネクションを確立することにより、ＳＩＰＴＯ＠ＬＮを利用したデータ通信を開始することができる。
【０１２４】
[１．４  変形例]
上述した実施形態では、ＨｅＮＢ３０は、ＳＩＰＴＯ＠ＬＮフラグをＬＧＷ２０から受信し、ＭＭＥ１０へ送信していたが、ＳＩＰＴＯ＠ＬＮフラグに限らず、ＬＩＰＡのＯＮ／ＯＦＦをしめす情報（フラグ）を通知しても良い。
【０１２５】
つまり、ＬＧＷ２０においてＬＩＰＡを利用できるかどうかを設定し、ＬＩＰＡを利用できるように設定する場合、「ＯＮ」に設定し、ＬＩＰＡを利用できないように設定する場合、「ＯＦＦ」に設定する。
【０１２６】
ここで、ＬＩＰＡのＯＮ／ＯＦＦを示す情報では、ＳＩＰＴＯ＠ＬＮのような別のサービスを利用することはできず、ＳＩＰＴＯ＠ＬＮを利用できるＬＧＷ２０を設定する場合には、ＬＩＰＡにおけるＯＮ／ＯＦＦを示す情報を必要とする。
【０１２７】
これは、ＬＩＰＡ可能なＬＧＷ２０は、必ずしもＳＩＰＴＯ＠ＬＮを利用できるとは限らないことを示している。また、ＳＩＰＴＯ＠ＬＮ可能なＬＧＷ２０において、必ずしもＬＩＰＡを利用できるとは限らないことを示している。また、ＬＧＷ２０は、ＬＩＰＡもＳＩＰＴＯ＠ＬＮも両方利用できる場合もある。
【０１２８】
ＬＩＰＡのＯＮ／ＯＦＦを設定したＬＧＷ２０は、ＨｅＮＢ３０へＬＧＷ＠ＣＮアドレスとともに、ＬＩＰＡのＯＮ／ＯＦＦの情報を送信する。ＬＧＷ２０からＬＧＷ＠ＣＮアドレス及びＬＩＰＡのＯＮ／ＯＦＦの情報を受信したＨｅＮＢは、ＵＰＬＩＮＫ  ＮＡＳ  ＴＲＡＮＳＰＯＲＴメッセージにおいて、ＬＨＮ識別子とともに、ＬＧＷのＬＧＷ＠ＣＮアドレス及びＬＩＰＡのＯＮ／ＯＦＦ情報を送信する。
【０１２９】
ここで、ＬＩＰＡのＯＮ／ＯＦＦを示す情報では、ＳＩＰＴＯ＠ＬＮのような別のサービスを通知することはできず、ＳＩＰＴＯ＠ＬＮを利用できることをＨｅＮＢ３０へ通知する場合には、ＳＩＰＴＯ＠ＬＮにおけるＯＮ／ＯＦＦを示す情報（ＳＩＰＴＯ＠ＬＮフラグ）を通知する必要がある。これは、ＬＩＰＡ可能なＬＧＷ２０は、必ずしもＳＩＰＴＯ＠ＬＮを利用できるとは限らないことを示している。
【０１３０】
また、ＳＩＰＴＯ＠ＬＮ可能なＬＧＷ２０において、必ずしもＬＩＰＡを利用できるとは限らないことを示している。また、ＬＧＷ２０は、ＬＩＰＡもＳＩＰＴＯ＠ＬＮも両方利用できる場合もある。
【０１３１】
ＨｅＮＢ３０からＵＰＬＩＮＫ  ＮＡＳ  ＴＲＡＮＳＰＯＲＴメッセージにおいて、ＬＨＮ識別子、ＬＧＷ＠ＣＮアドレス、ＬＩＰＡのＯＮ／ＯＦＦ（ＯＮ）を受信したＭＭＥは、ＬＩＰＡ可能なＬＧＷとして、ＨｅＮＢアドレス及びＬＧＷ＠ＣＮアドレス、ＬＨＮ識別子を管理する。
【０１３２】
ここで、ＬＩＰＡのＯＮ／ＯＦＦを示す情報では、ＳＩＰＴＯ＠ＬＮのような別のサービスを利用することはできず、ＳＩＰＴＯ＠ＬＮを利用できることを管理する場合には、ＳＩＰＴＯ＠ＬＮにおけるＯＮ／ＯＦＦを示す情報（ＳＩＰＴＯ＠ＬＮフラグ）を管理する必要がある。これは、ＬＩＰＡ可能なＬＧＷ２０は、必ずしもＳＩＰＴＯ＠ＬＮを利用できるとは限らないことを示している。
【０１３３】
また、ＳＩＰＴＯ＠ＬＮ可能なＬＧＷ２０において、必ずしもＬＩＰＡを利用できるとは限らないことを示している。さらに、ＬＧＷ２０は、ＬＩＰＡもＳＩＰＴＯ＠ＬＮも両方利用できる場合もある。
【０１３４】
以上の手続きにより、ＬＧＷ２０は、ＬＩＰＡのＯＮ／ＯＦＦフラグを検知することにより、ＭＭＥ１０は、ＬＩＰＡ可能なＬＧＷを選択することができる。
【０１３５】
また、ＭＭＥ１０は、ＰＤＮコネクション確立手続きにおいて、ＧＷ選択処理時においてＬＩＰＡ可能なＬＧＷを選択することができる。
【０１３６】
さらに、ＭＭＥ１０は、ＧＷ選択処理時において、ＬＩＰＡ可能なＬＧＷを選択することができることにより、ＬＩＰＡのＰＤＮコネクションを確立するためのＰＤＮコネクションを確立することができる。
【０１３７】
さらに、ユーザ（ＵＥ）は、ＳＩＰＴＯ＠ＬＮのＰＤＮコネクションを確立することにより、ＬＩＰＡを利用したデータ通信を開始することができる。
【０１３８】
また、移動通信事業者は、ＬＩＰＡのＰＤＮコネクションを確立することにより、ＬＩＰＡを利用したデータ通信を開始することができる。
【０１３９】
[２．第２実施形態]
続いて、第２実施形態について説明する。第１実施形態では、ＨｅＮＢ３０からＭＭＥ１０へＵＰＬＩＮＫ  ＮＡＳ  ＴＲＡＮＳＰＯＲＴメッセージにおいて、ＳＩＰＴＯ＠ＬＮフラグの通知を行っていたが、第２実施形態では、ＨｅＮＢ３０からＭＭＥ１０へＡＰＮの通知を行うことによって、ＭＭＥ１０は、ＬＧＷ２０がＳＩＰＴＯ＠ＬＮをサポートしていることを検知する。
【０１４０】
ここで、ＬＧＷ２０がＨｅＮＢ３０へ通知するＡＰＮは、ＬＧＷ２０においてサポートされているＡＰＮがあらかじめ設定されており、ＬＧＷは設定されているＡＰＮをＨｅＮＢ３０へ通知することとなる。また、ＨｅＮＢ３０は、ＬＧＷ２０から受信したＡＰＮを利用して、ＭＭＥ１０へＬＧＷ２０がサポートしているＡＰＮを通知する。
【０１４１】
なお、第１実施形態では、ＳＩＰＴＯ＠ＬＮフラグという新たな情報要素を利用して、ＭＭＥ１０へＬＧＷ２０のＳＩＰＴＯ＠ＬＮの可否を通知していたが、第２実施形態では、ＡＰＮのよる従来からＰＤＮコネクション確立手続きなどで利用されている識別子を通知する。
【０１４２】
また、ＡＰＮは、ＳＩＰＴＯ＠ＬＮへの許可情報がＭＭＥにおいて管理されており、そのＡＰＮに対応する許可情報において、ＳＩＰＴＯ＠ＬＮが許可されていれば、ＳＩＰＴＯ＠ＬＮ可能なＬＧＷとして、ＳＩＰＴＯ＠ＬＮ可能なＬＧＷリストへ含める。
【０１４３】
ここで、ＡＰＮに設定する許可情報は、ＳＩＰＴＯ  ａｌｌｏｗｅｄ  ｉｎｃｌｕｄｉｎｇ  ＳＩＰＴＯ＠ＬＮやＳＩＰＴＯ＠ＬＮ  ａｌｌｏｗｅｄ  ｏｎｌｙといった許可情報が設定可能であり、ＳＩＰＴＯ  ａｌｌｏｗｅｄ  ｉｎｃｌｕｄｉｎｇ  ＳＩＰＴＯ＠ＬＮでは、ＳＩＰＴＯ＠ＬＮに加え、ＳＩＰＴＯ＠ＲＮも利用可能であることを示し、ＳＩＰＴＯ＠ＬＮ  ｏｎｌｙでは、ＳＩＰＴＯ＠ＬＮだけを許可していることを示している。
【０１４４】
なお、１つのＡＰＮのみでは、ＬＩＰＡのような別のサービスを示すことはできず、ＬＩＰＡを利用できるＬＧＷ２０を示す場合には、別のＡＰＮとしてＬＩＰＡに対応するＡＰＮを示す必要がある。これは、ＳＩＰＴＯ＠ＬＮ可能なＬＧＷ２０は、必ずしもＬＩＰＡを利用できるとは限らないことを示している。また、ＬＩＰＡ可能なＬＧＷ２０において、必ずしもＳＩＰＴＯ＠ＬＮを利用できるとは限らないことを示している。さらに、ＬＧＷ２０は、ＳＩＰＴＯ＠ＬＮもＬＩＰＡも両方利用できる場合もある。
【０１４５】
以下、ＭＭＥ１０は、ＨｅＮＢ３０がＳＩＰＴＯ＠ＬＮ可能なＬＧＷリストを作成するために、ＬＧＷ２０からＨｅＮＢ３０へＬＧＷ＠ＣＮアドレス及びサポートしているＡＰＮを通知し、ＨｅＮＢは、ＬＧＷからＬＧＷ＠ＣＮアドレス及びサポートしているＡＰＮを受信し、ＭＭＥへＬＨＮ識別子、ＬＧＷ＠ＣＮアドレス、ＡＰＮを送信することによって、ＭＭＥ１０は、ＨｅＮＢ３０が接続するＳＩＰＴＯ＠ＬＮ可能なＬＧＷを検知する一連の手続きについて、図１２を用いて説明する。
【０１４６】
なお、本実施形態における移動通信システムは第１実施形態で説明した図１を同様に利用できるため、その詳細な説明を省略する。また、コアネットワーク３におけるＭＭＥ１０、ホームネットワーク５におけるＬＧＷ２０、ＨｅＮＢ３０は、それぞれ第１実施形態と同様の構成であるため、詳細な説明を省略する。
【０１４７】
なお、ＨｅＮＢ３０のＨｅＮＢアドレス及びＬＧＷ２０のＬＧＷ＠ＬＮのアドレスは、ローカルディカバリー手続きのような既に定義された方法を利用することで取得でき、ＨｅＮＢ３０及びＬＧＷ２０間におけるデータの送受信はできるものとする。
【０１４８】
ＨｅＮＢ３０及びＬＧＷ２０間においてデータの送受信ができることを確認し、ＨｅＮＢ３０は、ＬＧＷ２０へ、ＬＧＷ＠ＣＮアドレスの問い合わせを行う（Ｓ３００２）。ＨｅＮＢ３０からＬＧＷ＠ＣＮアドレスの問い合わせを受信したＬＧＷ２０は、ＬＧＷ２０のＬＧＷ＠ＣＮアドレス（例えば、「２００１：１００：２００：４００：：３」）及びＬＧＷ２０においてサポートしているＡＰＮ（ＡＰＮ１）の通知を行う（Ｓ３００４）。ここで、ＡＰＮ１は、ＬＧＷ２０においてサポートしているＡＰＮの識別子である。
【０１４９】
また、ＬＧＷ２０において複数のＡＰＮをサポートする場合には、複数のＡＰＮを通知しても良い。更に、ＬＧＷ＠ＣＮアドレス及びＬＧＷ２０がサポートするＡＰＮを通知する方法はＬＧＷ２０へ問い合わせる方法に限るものでなく、例えば、ＬＧＷ２０がＤＮＳサーバへＬＧＷ２０のＬＧＷ＠ＣＮアドレス及びＡＰＮの情報を予め登録しておき、ＨｅＮＢ３０がＤＮＳサーバへ問い合わせることで、ＬＧＷ２０のＬＧＷ＠ＣＮアドレス及びＡＰＮの情報を取得しても良い。
【０１５０】
ここで、１つのＡＰＮのみでは、ＬＩＰＡのような別のサービスを示すことはできず、ＬＩＰＡを利用できるＬＧＷ２０を示す場合には、別のＡＰＮとしてＬＩＰＡに対応するＡＰＮを示す必要がある。これは、ＳＩＰＴＯ＠ＬＮ可能なＬＧＷ２０は、必ずしもＬＩＰＡを利用できるとは限らないことを示している。また、ＬＩＰＡ可能なＬＧＷ２０において、必ずしもＳＩＰＴＯ＠ＬＮを利用できるとは限らないことを示している。さらに、ＬＧＷ２０は、ＳＩＰＴＯ＠ＬＮもＬＩＰＡも両方利用できる場合もある。
【０１５１】
ＬＧＷ＠ＣＮアドレスを受信したＨｅＮＢ３０は、ＬＧＷ＠ＣＮアドレス及びＡＰＮの情報をＬＧＷ管理表３５４に格納する（Ｓ３００６）。ここで、ＬＧＷ２０において、複数のＡＰＮに対応する場合には、複数のＡＰＮを格納しても良い。また、ＨｅＮＢ３０が複数のＬＧＷに接続している場合には、複数のＬＧＷアドレス及びＡＰＮを管理する。
【０１５２】
ここで、１つのＡＰＮのみでは、ＬＩＰＡのような別のサービスを示すことはできず、ＬＩＰＡを利用できるＬＧＷ２０を示す場合には、別のＡＰＮとしてＬＩＰＡに対応するＡＰＮを管理する必要がある。これは、ＳＩＰＴＯ＠ＬＮ可能なＬＧＷ２０は、必ずしもＬＩＰＡを利用できるとは限らないことを示している。また、ＬＩＰＡ可能なＬＧＷ２０において、必ずしもＳＩＰＴＯ＠ＬＮを利用できるとは限らないことを示している。さらに、ＬＧＷ２０は、ＳＩＰＴＯ＠ＬＮもＬＩＰＡも両方利用できる場合もある。
【０１５３】
ＬＧＷ２０のＬＧＷ＠ＣＮアドレス及びＡＰＮの情報を格納したＨｅＮＢ３０は、ＭＭＥ１０へＵＰＬＩＮＫ  ＮＡＳ  ＴＲＡＮＳＰＯＲＴメッセージを送信する（Ｓ３００８）。
【０１５４】
これにより、ＨｅＮＢ３０は、ＭＭＥ１０がローカルネットワーク経由のオフロードのためのＰＤＮコネクションを確立する際のＧＷ選択に用いる情報を登録することをＭＭＥ１０に要求する。
【０１５５】
図１３に、ＵＰＬＩＮＫ  ＮＡＳ  ＴＲＡＮＳＰＯＲＴメッセージに含まれる情報要素を示す。ＵＰＬＮＫ  ＮＡＳ  ＴＲＡＮＳＰＯＲＴメッセージには、ＬＧＷ＠ＣＮアドレス（例えば、「２００１：１００：２００：４００：：３」）と、ＬＨＮ識別子（例えば、「ＬＨＮ１」）と、ＡＰＮ（例えば、「ＡＰＮ１」）とが含まれる。ここで、ＬＨＮ識別子は、ＨｅＮＢにおいてあらかじめ設定されているものを利用する。また、ＬＧＷ２０は、複数のＡＰＮに対応する場合、複数のＡＰＮを通知しても良い。更に、ＨｅＮＢ３０が複数のＬＧＷに接続している場合には、複数のＬＧＷ＠ＣＮアドレス及びＬＧＷアドレスに対応するＡＰＮを通知しても良い。
【０１５６】
ここで、１つのＡＰＮのみでは、ＬＩＰＡのような別のサービスを示すことはできず、ＬＩＰＡを利用できるＬＧＷ２０を示す場合には、別のＡＰＮとしてＬＩＰＡに対応するＡＰＮを含める必要がある。これは、ＳＩＰＴＯ＠ＬＮ可能なＬＧＷ２０は、必ずしもＬＩＰＡを利用できるとは限らないことを示している。また、ＬＩＰＡ可能なＬＧＷ２０において、必ずしもＳＩＰＴＯ＠ＬＮを利用できるとは限らないことを示している。さらに、ＬＧＷ２０は、ＳＩＰＴＯ＠ＬＮもＬＩＰＡも両方利用できる場合もある。
【０１５７】
ＨｅＮＢ３０からＬＧＷ＠ＣＮアドレス及びＬＧＷ２０がサポートするＡＰＮを受信したＭＭＥ１０は、ＳＩＰＴＯ＠ＬＮ可能なＬＧＷのリストとして、ＨｅＮＢ２０から送信されてきたＬＧＷ＠ＣＮアドレス及びＬＧＷ２０がサポートするＡＰＮの情報に加え、ＨｅＮＢ３０のＩＰアドレスを関連付けてＨｅＮＢアドレス管理表１５２のように、管理する（Ｓ２０１０）。
【０１５８】
ここで、１つのＡＰＮのみでは、ＬＩＰＡのような別のサービスを示すことはできず、ＬＩＰＡを利用できるＬＧＷ２０を示す場合には、別のＡＰＮとしてＬＩＰＡに対応するＡＰＮを管理する必要がある。これは、ＳＩＰＴＯ＠ＬＮ可能なＬＧＷ２０は、必ずしもＬＩＰＡを利用できるとは限らないことを示している。また、ＬＩＰＡ可能なＬＧＷ２０において、必ずしもＳＩＰＴＯ＠ＬＮを利用できるとは限らないことを示している。さらに、ＬＧＷ２０は、ＳＩＰＴＯ＠ＬＮもＬＩＰＡも両方利用できる場合もある。
【０１５９】
以上の手続きにより、ＨｅＮＢ３０がＬＧＷ２０においてＡＰＮの通知を行うことによって、ＭＭＥ１０は、ＡＰＮ毎に対応するＬＧＷを検知することができる。
【０１６０】
さらに、上記で検知したＳＩＰＴＯ＠ＬＮ可能なＬＧＷを利用して、ＭＭＥ１０がＰＤＮコネクション手続きにおいて、ＳＩＰＴＯ＠ＬＮ可能なＬＧＷを選択する処理は、第１実施形態の図１０で説明した方法を同様に利用できる。
【０１６１】
以上の手続きにより、ＭＭＥ１０は、ＡＰＮ毎に対応するＬＧＷを利用して、ＰＤＮコネクション確立手続きにおいて含められたＡＰＮに対して、ＧＷ選択処理時において、ＡＰＮに対応するＬＧＷを選択することができる。
【０１６２】
ここで、ＡＰＮに設定する許可情報は、ＳＩＰＴＯ  ａｌｌｏｗｅｄ  ｉｎｃｌｕｄｉｎｇ  ＳＩＰＴＯ＠ＬＮやＳＩＰＴＯ＠ＬＮ  ａｌｌｏｗｅｄ  ｏｎｌｙといった許可情報が設定可能であり、ＳＩＰＴＯ  ａｌｌｏｗｅｄ  ｉｎｃｌｕｄｉｎｇ  ＳＩＰＴＯ＠ＬＮを設定されたＡＰＮでは、ＳＩＰＴＯ＠ＬＮに加え、ＳＩＰＴＯ＠ＲＮも利用可能であり、ＳＩＰＴＯ＠ＬＮ  ｏｎｌｙでは、ＳＩＰＴＯ＠ＬＮだけを許可していることを示している。
【０１６３】
なお、ＳＩＰＴＯ  ａｌｌｏｗｅｄ  ｉｎｃｌｕｄｉｎｇ  ＳＩＰＴＯ＠ＬＮを設定されたＡＰＮでは、ＭＭＥ１０は、ＧＷ選択において、ＳＩＰＴＯ＠ＬＮ可能なＬＧＷ２０だけでなく、ＳＩＰＴＯ＠ＲＮ可能なＴＯＦからも任意に選択することができる。
【０１６４】
ＭＭＥ１０は、ＧＷ選択処理時において、ＨｅＮＢから通知されるＬＧＷアドレスとＡＰＮの情報と、ＬＧＷアドレスとＡＰＮの情報を通知する際のＨｅＮＢのＨｅＮＢアドレスと、ＰＤＮコネクション手続きにおけるＵＥからのＰＤＮ接続要求に含まれるＡＰＮと、ＵＥからＭＭＥへＰＤＮ接続要求を送信する際に経由するＨｅＮＢのＨｅＮＢアドレスとを利用して、ＳＩＰＴＯ＠ＬＮ可能なＬＧＷを選択することができる。
【０１６５】
ここで、ＡＰＮに対してＳＩＰＴＯ＠ＬＮを許可された許可情報（SIPTO allowed including SIPTO@LNや、ＳＩＰＴＯ＠ＬＮ  ａｌｌｏｗｅｄ  ｏｎｌｙ）が設定されていれば、ユーザ（ＵＥ）は、ＳＩＰＴＯ＠ＬＮのＰＤＮコネクションを確立することにより、ＳＩＰＴＯ＠ＬＮを利用したデータ通信を開始することができる。
【０１６６】
また、ＡＰＮに対してＳＩＰＴＯ＠ＬＮを許可された許可情報（ＳＩＰＴＯ  ａｌｌｏｗｅｄ  ｉｎｃｌｕｄｉｎｇ  ＳＩＰＴＯ＠ＬＮや、ＳＩＰＴＯ＠ＬＮ  ａｌｌｏｗｅｄ  ｏｎｌｙ）が設定されていれば、移動通信事業者は、ＳＩＰＴＯ＠ＬＮのＰＤＮコネクションを確立することにより、ＳＩＰＴＯ＠ＬＮを利用したデータ通信を開始することができる。
【０１６７】
[３．第３の実施形態]
第１の実施形態、第２の実施形態では、ＬＧＷからＨｅＮＢを経由して、ＭＭＥへＬＧＷ＠ＣＮアドレス及びＳＩＰＴＯ＠ＬＮ可能かどうかを示す情報（ＳＩＰＴＯ＠ＬＮフラグ又はＡＰＮ）を通知していたが、第３の実施形態では、ＬＧＷから直接ＭＭＥへＬＧＷ＠ＣＮアドレス及びＳＩＰＴＯ＠ＬＮ可能かどうかを示す情報を送信する。
【０１６８】
ここで、ＳＩＰＴＯ＠ＬＮフラグでは、ＬＩＰＡのような別のサービスを利用できることを検出することはできず、ＬＩＰＡを利用できるＬＧＷ２０を検出する場合には、ＬＩＰＡにおけるＯＮ／ＯＦＦを示す情報を必要とする。これは、ＳＩＰＴＯ＠ＬＮ可能なＬＧＷ２０は、必ずしもＬＩＰＡを利用できるとは限らないことを示している。また、ＬＩＰＡ可能なＬＧＷ２０において、必ずしもＳＩＰＴＯ＠ＬＮを利用できるとは限らないことを示している。さらに、ＬＧＷ２０は、ＳＩＰＴＯ＠ＬＮもＬＩＰＡも両方利用できる場合もある。
【０１６９】
また、第３実施形態では、ＨｅＮＢは、ＨｅＮＢアドレスをＬＧＷへ送信し、ＬＧＷは、ＨｅＮＢアドレスをＭＭＥへ送信することにより、ＭＭＥは、ＨｅＮＢが接続するＬＧＷを検出することとなる。
【０１７０】
図１４を用いて、ＭＭＥにおいてＳＩＰＴＯ＠ＬＮ可能なＬＧＷを検知する手続きについて説明する。
【０１７１】
まず、ＨｅＮＢ３０は、ＨｅＮＢ３０が接続するＬＧＷ２０へＨｅＮＢアドレスを通知する（Ｓ４００２）。ここで、ＨｅＮＢ３０が接続するＬＧＷ２０を検出する方法は種々存在するが、ＦＱＤＮのように、あらかじめＬＧＷ２０を検出するための名前を設定しておき、ＤＮＳへ問い合わせることにより、取得することができる。
【０１７２】
ＨｅＮＢ３０からＨｅＮＢアドレスを受信したＬＧＷ２０は、ＨｅＮＢ３０のＨｅＮＢアドレス（２００１：１００：２００：５００：：３）と、ＬＧＷ２０におけるＳＩＰＴＯ＠ＬＮフラグ（ＯＮ）と、を送信する（Ｓ４００４）。
【０１７３】
これにより、ＨｅＮＢ３０は、ＭＭＥ１０がローカルネットワーク経由のオフロードのためのＰＤＮコネクションを確立する際のＧＷ選択に用いる情報を登録することをＭＭＥ１０に要求する。
【０１７４】
ここで、ＨｅＮＢアドレス及びＳＩＰＴＯ＠ＬＮフラグを通知する方法はＭＭＥ１０へ直接送信する方法に限るものでなく、例えば、ＬＧＷ２０がＤＮＳサーバへＬＧＷのＨｅＮＢアドレス、ＬＧＷ＠ＣＮアドレス、ＳＩＰＴＯ＠ＬＮフラグに関する情報をあらかじめ登録しておき、ＭＭＥ１０がＤＮＳサーバへ問い合わせることで、ＨｅＮＢ３０、ＬＧＷ２０のＬＧＷ＠ＣＮアドレス、ＳＩＰＴＯ＠ＬＮフラグの情報を取得しても良い。  
【０１７５】
また、ＳＩＰＴＯ＠ＬＮフラグでは、ＬＩＰＡのような別のサービスを通知することはできず、ＬＩＰＡを利用できることをＨｅＮＢ３０へ通知する場合には、ＬＩＰＡにおけるＯＮ／ＯＦＦを示す情報を通知する必要がある。
【０１７６】
これは、ＳＩＰＴＯ＠ＬＮ可能なＬＧＷ２０は、必ずしもＬＩＰＡを利用できるとは限らないことを示している。また、ＬＩＰＡ可能なＬＧＷ２０において、必ずしもＳＩＰＴＯ＠ＬＮを利用できるとは限らないことを示している。また、ＬＧＷ２０は、ＳＩＰＴＯ＠ＬＮもＬＩＰＡも両方利用できてもよい。
【０１７７】
ＬＧＷ２０からＨｅＮＢアドレス、ＬＧＷ２０のＳＩＰＴＯ＠ＬＮフラグを受信したＭＭＥ１０は、ＳＩＰＴＯ＠ＬＮ可能なＬＧＷのリストとして、ＬＧＷ２０から送信されてきたＨｅＮＢアドレス及びＬＧＷ２０のＳＩＰＴＯ＠ＬＮフラグの情報に加え、ＬＧＷ２０の送信元ＩＰアドレスを関連付けてＨｅＮＢアドレス管理表１５２のように管理する（Ｓ４００６）。
【０１７８】
ここで、ＳＩＰＴＯ＠ＬＮフラグでは、ＬＩＰＡのような別のサービスを利用することはできず、ＬＩＰＡを利用できることを管理する場合には、ＬＩＰＡにおけるＯＮ／ＯＦＦを示す情報を管理する必要がある。これは、ＳＩＰＴＯ＠ＬＮ可能なＬＧＷ２０は、必ずしもＬＩＰＡを利用できるとは限らないことを示している。また、ＬＩＰＡ可能なＬＧＷ２０において、必ずしもＳＩＰＴＯ＠ＬＮを利用できるとは限らないことを示している。さらに、ＬＧＷ２０は、ＳＩＰＴＯ＠ＬＮもＬＩＰＡも両方利用できる場合もある。
【０１７９】
以上の手続きにより、ＨｅＮＢ３０がＬＧＷ２０においてＳＩＰＴＯ＠ＬＮフラグの通知を行うことによって、ＭＭＥ１０は、ＳＩＰＴＯ＠ＬＮ可能なＬＧＷを検知することができる。
【０１８０】
なお、ＳＩＰＴＯ＠ＬＮ可能の可否を示す情報として、ＳＩＰＴＯ＠ＬＮフラグを利用して説明したが、ＳＩＰＴＯ＠ＬＮ可能の可否を示す情報として、ＡＰＮを利用しても良い。
【０１８１】
さらに、上記で検知したＳＩＰＴＯ＠ＬＮ可能なＬＧＷにより、ＭＭＥ１０がＰＤＮコネクション手続きにおいて、ＳＩＰＴＯ＠ＬＮ可能なＬＧＷを選択する処理は、第１実施形態の図１０で説明した方法を同様に利用できる。
【０１８２】
以上の手続きにより、ＳＩＰＴＯ＠ＬＮにおけるＰＤＮコネクション手続きを完了することができ、ＵＥ５０とＬＧＷ２０間において、ＳＩＰＴＯ＠ＬＮにおけるＰＤＮコネクションを確立することができる。
【０１８３】
ＭＭＥ１０は、ＧＷ選択処理時において、ＬＧＷから通知されるＨｅＮＢアドレスと、ＳＩＰＴＯ＠ＬＮフラグの情報と、ＨｅＮＢアドレスと、ＳＩＰＴＯ＠ＬＮフラグの情報を通知する際のＬＧＷのＬＧＷアドレスと、ＰＤＮコネクション手続きにおけるＵＥからのＰＤＮ接続要求に含まれるＡＰＮと、ＵＥからＭＭＥへＰＤＮ接続要求を送信する際に経由するＨｅＮＢのＨｅＮＢアドレスと、を利用してＳＩＰＴＯ＠ＬＮ可能なＬＧＷを選択することができる。
【０１８４】
また、ＭＭＥ１０は、ＧＷ選択処理時において、ＳＩＰＴＯ＠ＬＮ可能なＬＧＷを選択することができることにより、ＳＩＰＴＯ＠ＬＮのＰＤＮコネクションを確立するためのＰＤＮコネクション確立手続きを完了することができる。
【０１８５】
さらに、ユーザ（ＵＥ）は、ＳＩＰＴＯ＠ＬＮのＰＤＮコネクションを確立することにより、ＳＩＰＴＯ＠ＬＮを利用したデータ通信を開始することができる。
【０１８６】
また、移動通信事業者は、ＳＩＰＴＯ＠ＬＮのＰＤＮコネクションを確立することにより、ＳＩＰＴＯ＠ＬＮを利用したデータ通信を開始することができる。
［３．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【０１８７】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【０１８８】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ等）、磁気記録媒体（例えば、磁気テープ、フレキシブルディスク等）等の何れであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１８９】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【０１９０】
また、上述した実施形態における各装置の一部又は全部を典型的には集積回路であるＬＳＩ（Large Scale Integration）として実現してもよい。各装置の各機能ブロックは個別にチップ化してもよいし、一部又は全部を集積してチップ化してもよい。また、集積回路化の手法はＬＳＩに限らず専用回路又は汎用プロセッサで実現しても良い。また、半導体技術の進歩によりＬＳＩに代替する集積回路化の技術が出現した場合、当該技術による集積回路を用いることも可能であることは勿論である。
【符号の説明】
【０１９１】
１        ：移動通信システム
３        ：コアネットワーク
５        ：ホームネットワーク
７        ：ブロードバンドネットワーク
１００    ：制御部
１１０    ：送受信部
１４０    ：ＬＧＷ検出部
１５０    ：記憶部
１５２    ：ＨｅＮＢアドレス管理表
１５４    ：ＬＨＮ管理表
１５６    ：ＡＰＮ管理表
２００    ：制御部
２２０    ：ブロードバンドネットワークインタフェース部
２３０    ：ホームネットワークインタフェース部
２４０    ：ＯＦＦ切り替え部
２５０    ：記憶部
２５２    ：ＬＧＷ＠ＣＮアドレス
２５４    ：ＬＧＷ＠ＬＮアドレス
２５６    ：ＨｅＮＢアドレス
３００    ：制御部
３１０    ：ＬＴＥ基地局部
３１２    ：外部アンテナ
３２０    ：ホームネットワークインタフェース部
３５０    ：記憶部
３５２    ：ＨｅＮＢアドレス
３５４    ：ＬＧＷ管理表
３５６    ：ＬＨＮ識別子
【図１】
2014011759.tif 000003
【図２】
2014011759.tif 000004
【図３】
2014011759.tif 000005
【図４】
2014011759.tif 000006
【図５】
2014011759.tif 000007
【図６】
2014011759.tif 000008
【図７】
2014011759.tif 000009
【図８】
2014011759.tif 000010
【図９】
2014011759.tif 000011
【図１０】
2014011759.tif 000012
【図１１】
2014011759.tif 000013
【図１２】
2014011759.tif 000014
【図１３】
2014011759.tif 000015
【図１４】
2014011759.tif 000016